(57)【要約】【課題】光源が手摺の外部に露出せず意匠性に優れた手摺を提供する。【解決手段】芯材とこの芯材に被せられる被覆材とこの芯材と被覆材の間に設けられた光源からなり、被覆材は少なくとも２層の合成樹脂層からなり、内層は透明合成樹脂からなる透明層で、外層は着色された合成樹脂からなる着色層であることを特徴とするもので、周囲が明るいときは被覆材の外層の着色層により高い意匠性を得ることができ、周囲が暗くなって、光源が点灯したときには内層の透明層により、充分な輝度を得ることができる。被覆材を単に薄くせずに２層としたのは、被覆材を薄くすると手指で手摺を持ったときの充分な弾性感を得るためである。本発明によれば手摺に好適な指触感と外観を得ることができ、周囲が暗くなり光源を点灯したときには充分な輝度を得ることができる。【選択図】        図１
2005248423.tif 000002
【特許請求の範囲】
【請求項１】
芯材とこの芯材に被せられる被覆材とこの芯材と被覆材の間に設けられた光源からなり、被覆材は少なくとも２層の合成樹脂層からなり、内層は透明合成樹脂からなる透明層で、外層は着色された合成樹脂からなる着色層であることを特徴とする手摺。
【請求項２】
被覆材の外層が異なる色調の複数の合成樹脂が混合された合成樹脂材料から木目調に成型されていることを特徴とする請求項１記載の手摺。
【請求項３】
被覆材の内層が無着色のプラストマーから成型されていることを特徴とする請求項１又は請求項２のいずれか１項に記載の手摺。
【請求項４】
光源が複数のＬＥＤと照度センサー、人感センサーとセンサーからの情報によりＬＥＤの点灯を制御する制御装置からなることを特徴とする請求項１〜請求項３のいずれか１項に記載の手摺。
【発明の詳細な説明】
【技術分野】
【０００１】
本発明は、屋内の廊下、階段および浴室等、または屋外の階段、ベランダ、柵、高欄および東屋等に設置される手摺に関し、特に夜間などに手摺の視認性を高めるために光源を内蔵した手摺に関する。
【背景技術】
【０００２】
【特許文献１】特開２００２−２９４９６６号公報  従来、照明や誘導のために光源を内蔵する手摺は知られていた。  特開２００２−２９４９６６号公報には、手すり本体と、手すりを壁面に固定するための固定具と、床面を照らす照明器具とからなる手すりにおいて、人体の接近を検出し人体検出信号を出力する人体検知センサーと、前記人体検出信号に応じて前記照明器具の点灯／消灯を制御するための制御スイッチを備えたことを特徴とした手すりが提案されている。
【発明の開示】
【発明が解決しようとする課題】
【０００３】
しかしながら上記の如き手摺に於いては照明器具が露出しているために、手摺を握る手触りが照明器具の部分で違和感があり、又外観上も好ましいものではなかった。
【０００４】
そこで本発明者は従来の欠点に鑑み鋭意研究の結果、光源が手摺の外部に露出せず意匠性に優れた手摺を提供する。
【課題を解決するための手段】
【０００５】
本発明請求項１記載の手摺は、芯材とこの芯材に被せられる被覆材とこの芯材と被覆材の間に設けられた光源からなり、被覆材は少なくとも２層の合成樹脂層からなり、内層は透明合成樹脂からなる透明層で、外層は着色された合成樹脂からなる着色層であることを特徴とするもので、周囲が明るいときは被覆材の外層の着色層により高い意匠性を得ることができ、周囲が暗くなって、光源が点灯したときには内層の透明層により、充分な輝度を得ることができる。被覆材を単に薄くせずに２層としたのは、被覆材を薄くすると手指で手摺を持ったときの充分な弾性感を得るためである。
【０００６】
本発明請求項２記載の手摺は、被覆材の外層が異なる色調の複数の合成樹脂が混合された合成樹脂材料から木目調に成型されていることを特徴とする請求項１記載のもので、自然な木質感を得ることができるとともに、本木ではないので、安定した品質の手摺ができる。
【０００７】
本発明請求項３記載の手摺は、被覆材の内層が無着色のプラストマーから成型されていることを特徴とする請求項１又は請求項２のいずれか１項に記載のもので、内層の透明性が高く、ゴム弾性が高い被覆材となる。
【０００８】
本発明請求項４記載の手摺は、光源が複数のＬＥＤと照度センサー、人感センサーとセンサーからの情報によりＬＥＤの点灯を制御する制御装置からなることを特徴とする請求項１〜請求項３のいずれか１項に記載のもので、周囲の明るさと人が手摺に近づき握ろうとするのを感知してＬＥＤの点灯を制御でき省電力化がはかれる。
【発明の効果】
【０００９】
上述の如く、本発明請求項１記載の手摺は、芯材とこの芯材に被せられる被覆材とこの芯材と被覆材の間に設けられた光源からなり、被覆材は少なくとも２層の合成樹脂層からなり、内層は透明合成樹脂からなる透明層で、外層は着色された合成樹脂からなる着色層であることを特徴とするもので、周囲が明るいときは被覆材の外層の着色層により高い意匠性を得ることができ、周囲が暗くなって、光源が点灯したときには内層の透明層により、充分な輝度を得ることができる。被覆材を単に薄くせずに２層としたのは、被覆材を薄くすると手指で手摺を持ったときの充分な弾性感を得るためである。本発明によれば手摺に好適な指触感と外観を得ることができ、周囲が暗くなり光源を点灯したときには充分な輝度を得ることができる。
【００１０】
又、本発明請求項２記載の手摺は、被覆材の外層が異なる色調の複数の合成樹脂が混合された合成樹脂材料から木目調に成型されていることを特徴とする請求項１記載のもので、自然な木質感を得ることができるとともに、本木ではないので、安定した品質の手摺ができる。
【００１１】
又、本発明請求項３記載の手摺は、被覆材の内層が無着色のプラストマーから成型されていることを特徴とする請求項１又は請求項２のいずれか１項に記載のもので、内層の透明性が高く、ゴム弾性が高い被覆材となり、手摺を握ったときの指触感に優れる。
【００１２】
又、本発明請求項４記載の手摺は、光源が複数のＬＥＤと照度センサー、人感センサーとセンサーからの情報によりＬＥＤの点灯を制御する制御装置からなることを特徴とする請求項１〜請求項３のいずれか１項に記載のもので、周囲の明るさと人が手摺に近づき握ろうとするのを感知してＬＥＤの点灯を制御でき省電力化がはかれるので、電源として乾電池等を使用することができ配線工事などを不要化できる。
【発明を実施するための最良の形態】
【００１３】
以下、図面を参照しながら本発明について説明する。
１は本発明手摺の実施形態の一例を示す断面図である。図に於いて、１は被覆材であり、外層１１と内層１２の２層からなっている。外層１１はオレフィン系エラストマーを主原料とし、これに３種類のカラーマスターバッチを混合し木目模様を呈するようにされている。内層１２はプラストマーを主成分とし、着色剤を添加せず透明として透光性をあげている。被覆材１を形成する成型方法としては、連続で成形でき長手方向に筋状の木目模様が生じやすい押出成形が好適であるが、射出成形などの他の方法によってもよい。
【００１４】
被覆材１の内側には芯材２が配設されている。芯材２はアルミ合金押出型材から作製されれば、強度的に優れ、耐食性に優れて好適であるが、これに限るものではなく、鋼管などの金属管や合成樹脂製の型材などが適宜用いられる。芯材２はその表面に被せられた被覆材１を保護するために配設されているが、光源を形成する種々の部品がこの被覆材１に内蔵される。
【００１５】
芯材２の上面の凹部には適宜間隔でＬＥＤ３が配設された基板が載置されて光源となされている。芯材２の内部には周辺の照度の変化を計測する照度センサー４と人の接近を感知する人感センサー５が設けられている。センサーの下には電源部６が設けられている。電源部６としては市販で入手が容易な乾電池が内蔵され、センサーやＬＥＤ３に電力を供給している。センサーの上部には制御装置７が配設され、センサーからの信号に応じてＬＥＤ３の点灯を適宜制御するようになされている。ＬＥＤ３の点灯は周囲が暗くなったときに人が手摺に近づくと点灯するように制御されれば省電力化がはかれ、電源として乾電池などを使用することができ配線工事が不要化できる。
【００１６】
本発明における光源としては、消費電力が少なく、長寿命であることから、ＬＥＤ３が好適に用いられるが、これに限るものではなく電球などが用いられてもよい。本発明における光源の色は赤や青など適宜色が用いられればよいし、複数の種類の色が用いられてもよい。又、光源は必要時連続して点灯されてもよいし点滅するようにされてもよい。
【図面の簡単な説明】
【００１７】
【図１】本発明手摺の実施形態の一例を示す断面図である。
【符号の説明】
【００１８】
１    被覆材
１１  外層
１２  内層
２    芯材
３    照度センサー４
４    照度センサー
５    人感センサー
６    電源部
７    制御装置
【図１】
2005248423.tif 000003